(57)【特許請求の範囲】
【請求項１】
両端が開口してなる円筒状のガラス製シリンダ（１）と、
このシリンダ内を気密・液密的に封止して薬液（４）を充填・保管する空間（３）を形成するシリンダ内に互いに離間して嵌合されている少なくとも前後２つの弾性ストッパ（２ａ，２ｂ）と、
前記シリンダの外径よりも内径を大きく設定されてシリンダの外方を覆う円筒本体（６）の前端に注射針を取り付けるための筒先（７）が設けられ、前記円筒本体の後端に使用者の指を係止するためのフランジ（８）が外方へ突出して設けられた筒状のホルダ（５）とを備え、
前記筒先のシリンダとの嵌着方向の端部には、内径がシリンダ内の前側の弾性ストッパ（２ａ）の外径より大きく、長さが該弾性ストッパの長さより長く設定された内部空間に該弾性ストッパを遊嵌させ得る円筒部（１１）が形成され、該円筒部の内側に縦溝が形成されており、
前記ホルダの前記円筒本体の内周部と前記シリンダの前端外周部との間および前記円筒本体の内周部とシリンダの後端外周部との間には、それぞれ前側シール部材（１２）と後側シール部材（１３）が介在されていることを特徴とする容器兼用注射器。
【請求項２】
前記前側シール部材（１２）の一部は、前記シリンダの前端面（１ａ）と前記ホルダの筒先形成用の段部端面（１４）との間に挿入されていることを特徴とする請求項１記載の容器兼用注射器。
【請求項３】
前記ホルダ（２０）は、前記シリンダの外方を覆う筒状本体（２１）と、注射針を取り付けるための筒先（２２）とが別体とされ、
前記筒状本体の前端には内フランジ（２３）が設けられ、前記筒先の後端には外フランジ（２４）が設けられ、それら内フランジと外フランジとは互いに係合していることを特徴とする請求項１記載の容器兼用注射器。
【請求項４】
前記前側シール部材は、互いに別体とされた前記筒状本体の内フランジ（２３）と前記筒先の外フランジ（２４）との突き合わせ部（２５）を覆うように介在されていることを特徴とする請求項３記載の容器兼用注射器。
【請求項５】
前記ホルダの後端には内フランジ（１５）が形成され、この内フランジが前記後側シール部材に嵌合することで、前記ホルダはその軸方向筒先側への移動が規制されていることを特徴とする請求項１〜４のいずれかの記載の容器兼用注射器。
【請求項６】
前記ホルダは透明なプラスチック材料で作られていることを特徴とする請求項１〜５のいずれかに記載の容器兼用注射器。
【発明の詳細な説明】
【０００１】
【発明の属する技術分野】
本発明は、ガラス製シリンダ内に、予め薬剤が充填されるとともに該薬剤の密封性を保つラバーストッパが挿入されてなる、いわゆる容器兼用注射器にかかわり、特願昭５３−１５８１４３号に代表される１室式、あるいは特願昭６１−１４７２２３に代表される２室式を問わず幅広く適用される容器兼用注射器に関する。
【０００２】
【従来の技術】
近年開発された容器兼用注射器には、左右対称の円筒状のガラス製シリンダの一方端に、該シリンダの外径とほぼ等しいかあるいはそれよりわずかに小さい内径とされたプラスチック製の筒先を圧入・嵌着させ、この筒先を介して注射針が取り付けられるようになっているものがある。
【０００３】
ここで、筒先にはシリンダとの嵌着方向先端部分に円筒部が形成されている。この円筒部は、その内部空間にラバーストッパを遊嵌させ得るように、該円筒部の内径がラバーストッパの外径よりもわずかに大きめに設定され、しかも、円筒部の内側には１本以上の縦溝が形成されている。
【０００４】
このような構造であるために、当該容器兼用注射器を使用する際、プランジャーロッドの前進に伴い、シリンダに封止されていた薬剤が筒先方向へ移動し、同時にシリンダの前部に挿入されているラバーストッパがシリンダから筒先の円筒部内へ移動・嵌入し、薬剤が円筒部の内側縦溝を伝わって注射針に導かれ、これにより、シリンダ内の薬液が注射針へ導かれるようになっている。したがって、このような容器兼用注射器では、前側のラバーストッパを針で穿刺しなければならなかったこれまでの容器兼用注射器に比べて、ゴム栓の切り屑（コアリング）の発生を防止するという大きな長所を備えていた。
【０００５】
【発明が解決しようとする課題】
しかしながら、前述した容器兼用注射器にあっては次の欠点があった。
すなわち、この種の容器兼用注射器は、前述のようにガラス製シリンダの一方端にプラスチック製の筒先を圧入・嵌着させる（実際には筒先を可能な範囲内で加熱して弾性強度を低下させ、この状態で圧入・嵌着させる）構造であるため、筒先には、一面では圧入を可能にする弾力性が求められ、同時に他方では、気密液密を保証できるだけの硬度が求められる。この結果、筒先に使用されるプラスチックは、その素材の選択範囲がきわめて狭く限定され、現時点の技術では透明性のあるプラスチック材料を使用することができず、不透明あるいは半透明のものを使用せざるを得なかった。そのため、使用者からは、筒先内の薬液の流れが見づらい、気泡の有無が確認しづらい、注射実施のための手技のひとつであるナースアスピレーションを行うことが難しい等の点が指摘されていた。
【０００６】
本発明は上記事情に鑑みてなされたものであり、筒先に使用される材料の選択幅が広がり、筒先部分に透明なプラスチック材料を使用することができる容器兼用注射器を提供することを目的とする。
【０００７】
【課題を解決するための手段】
請求項１記載の発明では、両端が開口してなる円筒状のガラス製シリンダと、このシリンダ内を気密・液密的に封止して薬液を充填・保管する空間を形成するシリンダ内に互いに離間して嵌合されている少なくとも前後２つの弾性ストッパと、前記シリンダの外径よりも内径を大きく設定されてシリンダの外方を覆う円筒本体の前端に注射針を取り付けるための筒先が設けられ、前記円筒本体の後端に使用者の指を係止するためのフランジが外方へ突出して設けられた筒状のホルダとを備え、前記筒先のシリンダとの嵌着方向の端部には、内径がシリンダ内の前側の弾性ストッパの外径より大きく、長さが該弾性ストッパの長さより長く設定された内部空間に該弾性ストッパを遊嵌させ得る円筒部が形成され、該円筒部の内側に縦溝が形成されており、前記ホルダの前記円筒本体の内周部と前記シリンダの前端外周部との間および前記円筒本体の内周部とシリンダの後端外周部との間には、それぞれ前側シール部材と後側シール部材が介在されていることを特徴とする。
請求項２記載の発明では、前記前側シール部材の一部は、前記シリンダの前端面と前記ホルダの筒先形成用の段部端面との間に挿入されていることを特徴とする。
請求項３記載の発明では、前記ホルダは、前記シリンダの外方を覆う筒状本体と、注射針を取り付けるための筒先とが別体とされ、前記筒状本体の前端には内フランジが設けられ、前記筒先の後端には外フランジが設けられ、それら内フランジと外フランジとは互いに係合していることを特徴とする。
請求項４記載の発明では、前記前側シール部材は、互いに別体とされた前記筒状本体の内フランジと前記筒先の外フランジとの突き合わせ部を覆うように介在されていることを特徴とする。
請求項５記載の発明では、前記ホルダの後端には内フランジが形成され、この内フランジが前記後側シール部材に嵌合することで、前記ホルダはその軸方向筒先側への移動が規制されていることを特徴とする。
請求項６記載の発明では、前記ホルダは透明なプラスチック材料で作られていることを特徴とする。
【０００８】
【発明の実施の形態】
〈発明の第１の実施の形態〉
図１は本発明の第１の実施の形態を示す容器兼用注射器の全体断面図である。
すなわち、図中符号１は両端が開口してなる円筒状のガラス製シリンダであり、このシリンダ１内には前後２つのラバーストッパ２ａ、２ｂが互いに離間して嵌合されている。そして、このラバーストッパ２ａ、２ｂによってシリンダ１内には気密・液密的に封止された空間３が形成され、この空間３には薬液４が充填・保管される。
【０００９】
シリンダ１の外方には筒状のホルダ５が設けられている。ホルダ５は、円筒本体６と筒先７とが一体に形成されたものであり、透明なプラスチック材料から作られる。
円筒本体６は、内径がシリンダ１の外径よりもやや大きく、かつ長さがシリンダ１の全長よりも長く設定されていて、シリンダ１を完全に外側から覆い得るように形成されている。円筒本体６の後端（ここでは、筒先側（図１における左側）を前側、その逆側（図１における右側）を後側と定める）に、使用者の指を係止するためのフランジ８が外方へ突出して設けられている。
【００１０】
また、筒先７は、注射針を取り付けるためのテーパー部９が中央に設けられ、このテーパー部９の外方に注射針の針基フランジと係合する雌ねじ部１０が設けられている。筒先７のシリンダ１との嵌着方向の端部には円筒部１１が形成されている。この円筒部１１は、その内部空間に前側のラバーストッパ２ａを遊嵌させ得るように、該円筒部１１の内径が該ラバーストッパ２ａの外径よりもわずかに大きな値に設定されるとともに、その長さを該ラバーストッパ２ａの全長よりも長く設定され、しかも、円筒部１１の内側には１本以上の縦溝１１ａが形成されている。
【００１１】
前記ホルダ５と前記シリンダ１との間には前側シール部材１２と後側シール部材１３がそれぞれ介在されている。前側シール部材１２は、シリンダ１の前端外周部とホルダ５の内周部との間に介在されて、両者間を液密・気密に保持し、また、後側シール部材１３は、シリンダ１の後端外周部とホルダ５の内周部との間に介在されて、シリンダ１がホルダ５から抜けるのを防止すると同時に、両者間を液密・気密に保持するものである。
【００１２】
また、ホルダ５の筒先形成用の段部端面１４にはシリンダ１の前端が当接される一方、ホルダ５の後端部に形成された内フランジ１５は後側シール部材１３を介して前記シリンダ１の後端を押圧している。これにより、ホルダ５は、シリンダ１に対して同軸状に保持された状態で、その径方向及び軸線方向の相対移動を規制されている。
前記ホルダ５の円筒本体６の前端部内周であって前記前側シール部材１２と当接する箇所は内方に膨らむ凸部１６が周方向に延びるように形成され、前側シール部材１２に対してある程度の押圧力をもって当接するようになっている。
【００１３】
なお、図１において符号１７は後側のラバーストッパ２ｂに形成される雌ねじ部（図示略）に螺合されるプランジャーロッドであり、符号１８は筒先７に螺合されて、テーパー部９をクリーンに保つキャップである。
【００１４】
次に、上記構成の容器兼用注射器の作用について説明する。当該容器兼用注射器を使用する場合、使用者は中指及び人差し指をそれぞれ前記フランジ８に係合すると共に親指の腹部分をプランジャーロッド１７の後端面に当て、該プラジャーロッド１７を前方へ押し出す。このとき、シリンダ１とホルダ５とは軸線方向の相対移動が規制されているため、後側のラバーストッパ２ｂがプランジャロッド１７の移動に伴い前方へ移動する。これと同時に、シリンダ１内の空間３に封止されている薬剤４が前方へ移動し、また、シリンダ１の前部に挿入されている前側のラバーストッパ２ａも前方へ移動して、筒先７の円筒部１１内に移動・嵌入する。
【００１５】
その後、さらにプランジャーロッド１７を押し続けることにより、薬剤４が円筒部１１の内側の縦溝１１ａを伝わり、さらに筒先７に取り付けられた図示せぬ注射針に導かれる。つまり、シリンダ１内の薬液４が注射針へ導かれることとなる。
【００１６】
ここで、ホルダ５はシリンダ１の外側に前側あるいは後側シール部材１２、１３を介して嵌合しており、ホルダ５自体が直接シリンダ１に圧入する必要がないことから、ホルダ５に要求されるのは、それらシール部材１２、１３から受ける押圧力に対抗できる強度を有することのみであり、従来のような適度の弾性力をもつことは要求されない。したがって、ホルダ５を製作する際の材料としては選択幅が広がり、従来では採用できなかった透明で硬さのあるプラスチック材料をも使用することが可能となった。
【００１７】
このように、ホルダ５を透明で硬いプラスチック材料で製作することが可能であるため、前記シリンダ１が透明なガラス材料で作られていることと相俟って、使用者は、ホルダ５の筒先７内の薬液の流れを直接目で観察することができ、また、ホルダ５及びシリンダ１を介してシリンダ１の内部も観察することができる。この結果、筒先７内の薬液の流れや、シリンダ１内の気泡の有無を確認することができ、さらにシリンダ１内に血液が流れ込むのを容易に確認できることから、ナースアスピレーションを行うこともきわめて容易になる。
【００１８】
また、ホルダ５とシリンダ１との間は、前側及び後側のシール部材１２、１３を介して気密・液密的にセットされるので、外部からシリンダ１内に湿気や細菌が侵入するのを確実に防止することができ、しかも、薬液４が外部へ漏れるのも防止できる。
なお、ホルダ５とシリンダ１との間にシール部材１２、１３を組付る方法としては、予めホルダ５の前端部と後端部にそれぞれシール部材１２、１３をそれぞれ配置させておき、後からホルダ５内にシリンダ１を挿入する方法、あるいは、逆に、シリンダ１の前端部と後端部にそれぞれシール部材１２、１３を嵌合させておき、後からそれらにホルダ５を被せる方法等が考えられる。
【００１９】
〈発明の第２の実施の形態〉
図３は本発明の第２の実施の形態を示す。
図３はこの実施の形態の要部を示す断面図であり、この図からもわかるように、この実施の形態の特徴は、前側シール部材１２の一部が、シリンダ１の前端面１ａと前記ホルダ５の筒先形成用の段部端面１４との間に挿入されている点である。シール部材１２の形状は、単なる円筒状のものであっても、あるいは、前記シリンダ１の前端面１ａとホルダ５の段部端面１４との間に挿入される部分が、円筒状本体から内側へに突出して形成されてなるものであってもよい。
なお、他の構成は前記した第１の実施の形態と同様であるので、ここではその説明を省略する。
【００２０】
この実施の形態では、前側シール部材１２の一部がシリンダ１の前端面１ａと前記ホルダの筒先形成用の段部端面１４との間に挿入されているから、ホルダ５とシリンダ１との間のシール性が高まり、この結果、外部からシリンダ１内に湿気や細菌が侵入するのをより確実に防止することができ、しかも、薬液４が外部へ漏れるのもより一層防止できる。
【００２１】
〈発明の第３の実施の形態〉
図４は本発明の第３の実施の形態を示す。
この実施の形態の特徴は、ホルダ２０を構成する筒状本体２１と筒先２２とが別体となっている点である。
前記筒状本体２１の前端には内フランジ２３が設けられ、筒先２２の後端には外フランジ２４が設けられ、それら内フランジ２３と外フランジ２４とは互いに係合しており、これにより、筒先が筒状本体に対し前方へ相対移動するのを規制されている。また、内フランジ２３と外フランジ２４との突き合わせ係合部分２５には前側シール部材１２が当接され、内フランジ２３と外フランジ２４との間のシール性、言い換えれば筒先２２と筒状本体２１との間のシール性が確保されている。
なお、他の構成は前記した第１、第２の実施の形態と同様であるので、ここでもそれらの説明は省略する。
【００２２】
このような構成によれば、前記した第２の実施の形態の効果を奏する他、さらに筒状本体２１と筒先２２が別体となっているため、製作コストを低減することができるという効果を奏する。
【００２３】
〈変形例〉
なお、前記した実施の形態はあくまで例示であり、実施に当たり、適宜変形可能である。
例えば、ホルダ５、２０の後端に設けるフランジ８の形状は、円形であってもあるいは多角形であってもよい。
また、前記実施の形態では、１室式を例に挙げて説明したが、本発明は勿論これに限られることなく、２室式あるいはそれ以上の複数式の容器兼用注射器でも、本発明が適用可能であるのは言うまでもない。
【００２４】
【発明の効果】
請求項１記載の発明によれば、シリンダの前端外周部および後端外周部とそれを覆う筒状のホルダの内周部との間に前側シール部材と後側シール部材とを介在させているので、ホルダ自体が直接シリンダに圧入する必要がないことから、ホルダに要求されるのは前側シール部材から受ける押圧力に対抗できる強度を有することのみであって、従来のような適度の弾性力は要求されない。したがって、ホルダを製作する際の材料としては選択幅が広がり、従来では採用できなかった硬くて透明なプラスチック材料をも使用することが可能となった。
また、ホルダを透明なプラスチック材料で製作する場合には、使用者は、ホルダ内の薬液の流れやシリンダ内の気泡の有無を目視により確認することができ、さらにシリンダ内に血液が流れ込むのを容易に確認できることから、ナースアスピレーションを行うこともきわめて容易になる。
加えて、ホルダに高精度加工が要求されないことからその分コストを低減でき、しかも不良品の発生を防止できる。
【００２５】
請求項２記載の発明によれば、前側シール部材の一部を、シリンダの前端面とホルダの筒先形成用の段部端面との間に挿入しているから、シリンダとホルダ間のシール性をより確実なものとすることができ、外部からシリンダ内に湿気や細菌が侵入するのを確実に防止することができ、しかも、薬液が外部へ漏れるのも防止できる。
【００２６】
請求項３記載の発明によれば、ホルダの筒状本体と筒先を別体としているため、ホルダの製作が容易になり、無理なくコストを低減することも可能となる。
【００２７】
請求項４記載の発明によれば、前側シール部材によって、互いに別体とされた筒状本体の内フランジと筒先の外フランジとの突き合わせ部を覆うようにしているので、筒状本体と筒先との突き合わせ部のシール性をより確実なものとすることができる。
【００２８】
請求項５記載の発明によれば、後側シール部材によってシリンダとホルダとの軸線方向への相対移動を規制しているので、容器兼用注射器の機能が損なわれることはない。
【００２９】
請求項６記載の発明によれば、ホルダを透明なプラスチック材料で作るので、コストを低減した状態で、シリンダ内部を目視によって確認することができる。
【図面の簡単な説明】
【図１】  本発明の第１の実施の形態を示す容器兼用注射器を示す断面図である。
【図２】  同実施の形態の要部を示す拡大断面図である。
【図３】  本発明の第２の実施の形態を示す容器兼用注射器の要部を示す断面図である。
【図４】  本発明の第３の実施の形態を示す容器兼用注射器の要部を示す断面図である。
【符号の説明】
１  シリンダ
１ａ  シリンダの前端部
２ａ、２ｂ  ラバーストッパ
３  空間
４  薬液
５  ホルダ
７  筒先
８  フランジ
１２  前側シール部材
１３  後側シール部材
１４  段部端面
１５  内フランジ
２０  ホルダ
２１  筒状本体
２２  筒先
２３  内フランジ
２４  外フランジ
２５  突き合わせ部
【図１】
0003944275.tif 000002
【図２】
0003944275.tif 000003
【図３】
0003944275.tif 000004
【図４】
0003944275.tif 000005